(57)【要約】【課題】蓋に設けられた主操作体及びリモコン本体の蓋背後側に設けられた副操作体によって共通のスイッチを操作するようにしたリモコンにおいて、耐水性が良好であると共に、蓋開閉状態の検知のため電力消費も少ないリモコンを提供する。【解決手段】蓋３を閉めて主操作体４〜８を操作し、また蓋３を開けて副操作体１４〜１８を操作することにより温水洗浄装置のリモートコントロールが行われる。蓋３の開閉はリードスイッチ２１により検知される。主操作体４〜８と副操作体１４〜１８のいずれかを操作した場合にのみ短時間だけリードスイッチ２１に通電されて蓋３の開閉状態が検知され、その他の場合にはリードスイッチ２１へは通電されない。【選択図】図１
2005277557.tif 000002
【特許請求の範囲】
【請求項１】
内部にスイッチが配置され、外面に該スイッチを操作するための副操作体を有したリモコン本体と、
該副操作体を覆った閉止状態と副操作体を露出させた開放状態とをとるように該リモコン本体に開閉可能に取り付けられた蓋と、
該蓋に設けられており、該蓋が閉止状態にあるときに該副操作体を操作可能な主操作体と、
該蓋の開閉状態を検知する非接触式の検知手段と、
該リモコン本体内に配置されており、前記スイッチ及び該検知手段が接続されたコマンド信号出力手段と、
を有するリモコンにおいて、
該コマンド信号出力手段は、該スイッチから操作信号が入力したときに該検知手段に通電して蓋の開閉状態を検知し、コマンド信号を出力するものであることを特徴とするリモコン。
【請求項２】
請求項１において、前記副操作体は、前記リモコン本体内を水密に封止するものであり、
前記検知手段は、前記リモコン本体内に設置された磁気センサと、前記蓋に設けられたマグネットとからなることを特徴とするリモコン。
【発明の詳細な説明】
【技術分野】
【０００１】
本発明は、リモコンに係り、特に開閉式の蓋の前面及び該蓋によって隠れる位置の双方に操作体が設けられているリモコンに関する。
【背景技術】
【０００２】
使用頻度の高い主操作体を蓋の前面に設けると共に、使用頻度の低い副操作体を蓋で隠れる位置に設け、主操作体及び副操作体のいずれによってもリモコン内部のスイッチを操作するようにしたリモコンは既に広く用いられている。このリモコンは、蓋の開閉状態を検知する手段を備えており、蓋が閉じた状態でのスイッチ信号は主操作体を操作したときの信号として、また蓋が開いた状態でのスイッチ信号は副操作体を操作したときの信号として処理される。
【０００３】
この蓋の開閉状態を検知するために、蓋が接離することによりＯＮ・ＯＦＦする接触式のスイッチを用いることが特公平６−８１３４６号公報に記載され、蓋に設けられた磁石の近接を検知するリードスイッチを用いることが特開平６−２２９６２４号公報に記載されている。
【特許文献１】特公平６−８１３４６号公報
【特許文献２】特開平６−２２９６２４号公報
【発明の開示】
【発明が解決しようとする課題】
【０００４】
接触式の蓋開閉検知スイッチを用いた場合、リモコン内部に水や湿気が侵入し易くなるので、トイレルームや浴室等の水が掛かる可能性のある箇所には設置できない。
【０００５】
蓋開閉をリードスイッチで検知する場合には、リモコンの耐水性を確保することができるが、蓋が閉まって磁石が近接している間（又は逆に蓋が開いている間）には、継続して電流が流れることになり、消費電力が多く、リモコンの電池が早期に消耗し易い。
【０００６】
本発明は、上記従来の問題点を解決し、蓋に設けられた主操作体及びリモコン本体の蓋背後側に設けられた副操作体によって共通のスイッチを操作するようにしたリモコンにおいて、耐水性が良好であると共に、蓋開閉状態の検知のための電力消費も少ないリモコンを提供することを目的とする。
【課題を解決するための手段】
【０００７】
本発明のリモコンは、内部にスイッチが配置され、外面に該スイッチを操作するための副操作体を有したリモコン本体と、該副操作体を覆った閉止状態と副操作体を露出させた開放状態とをとるように該リモコン本体に開閉可能に取り付けられた蓋と、該蓋に設けられており、該蓋が閉止状態にあるときに該副操作体を操作可能な主操作体と、該蓋の開閉状態を検知する非接触式の検知手段と、該リモコン本体内に配置されており、前記スイッチ及び該検知手段が接続されたコマンド信号出力手段と、を有するリモコンにおいて、該信号出力手段は、該スイッチから操作信号が入力したときに該検知手段に通電して蓋の開閉状態を検知し、コマンド信号を出力するものであることを特徴とするものである。
【０００８】
請求項２のリモコンは、請求項１において、前記副操作体は、前記リモコン本体内を水密に封止するものであり、前記検知手段は、前記リモコン本体内に設置された磁気センサと、前記蓋に設けられたマグネットとからなることを特徴とするものである。
【発明の効果】
【０００９】
本発明のリモコンは、スイッチが操作されたときだけ該検知手段に通電して蓋の開閉を検知するため、検知手段による電力消費がきわめて少ない。そのため、リモコンの電源に電池を用いた場合であっても、電池の寿命が長いものとなる。また、本発明のリモコンは、非接触式の蓋開閉状態検知手段を用いており、内部に水や湿気が侵入することを防止でき、耐水性に優れる。
【発明を実施するための最良の形態】
【００１０】
以下、図面を参照して実施の形態について説明する。第１図は実施の形態に係るリモコンの斜視図であり、（ａ）図は蓋閉止状態、（ｂ）図は蓋開放状態を示している。第２図は蓋開放時のリモコン下部の縦断面図、第３図は信号処理回路図である。
【００１１】
このリモコン１は、リモコン本体２と、該リモコン本体２に設けられた蓋３と、該蓋３に設けられた主操作体４〜８と、リモコン本体２に設けられた副操作体１４〜１８等を備えている。蓋３は、アーム３ａ及び支軸３ｂを介してリモコン本体２に上下方向回動自在に取り付けられている。なお、閉じた蓋を閉状態に保つために磁石と鉄片の対が蓋３とリモコン本体２とに設けられている。
【００１２】
このリモコン１は、トイレルームの洋風便器に設けられた温水洗浄装置、フラッシュ装置、及び便座電動開閉装置をリモートコントロールするためのものである。
【００１３】
この温水洗浄装置は、便座に座った人の肛門洗浄用シャワーノズル、ビデノズル、該ノズルに温水を供給する温水タンク、臀部に温風を吹き付けて乾燥させる温風ファン等を備えている。フラッシュ装置は、洋風便器に対し便器洗浄水を供給するための弁装置である。便座電動開閉装置は、便座をモータによって起立・倒伏させる装置である。
【００１４】
蓋３に設けられた主操作体４〜８は、肛門洗浄するためのパワフルスイッチ用主操作体４及びマイルドスイッチ用主操作体５並びにビデスイッチ用主操作体６、温風ファンを作動させるための乾燥スイッチ用主操作体７、洗浄及び乾燥動作を停止させるための止スイッチ用主操作体８よりなる。
【００１５】
蓋３を占めた状態でパワフルスイッチ用主操作体４を押すと、シャワーノズルから比較的高流速にて温水が噴出し、臀部が力強く洗浄される。マイルドスイッチ用主操作体５を押すと、シャワーノズルから比較的低流速にて温水が噴出し、臀部がソフトに洗浄される。ビデスイッチ用主操作体６を押すとビデノズルから温水が噴出する。
【００１６】
乾燥スイッチ用主操作体７は、これを１回押すと比較的高温の温風が吹き出し、もう１回押すと中温の温風となり、さらにもう１回押すと比較的低温の温風となり、以下同様に「高」、「中」、「低」と切り替わる。止スイッチ用主操作体８を押すと、上述の洗浄や乾燥（温風吹出）動作が停止する。なお、この実施の形態では、洗浄は開始２分後に自動的に停止し、乾燥は開始４分後に自動的に停止するセルフストップ機構が採用されている。
【００１７】
蓋３を開けて副操作体１４を押すと、温水の温度が低下し、副操作体１５を押すと温水の温度が上昇する。副操作体１６を押すと初期設定の温風の温度が低下し、副操作体１７を押すと初期設定の温風の温度が上昇する。
【００１８】
副操作体１８はワイド洗浄入／切スイッチ用操作体である。このワイド洗浄入／切スイッチ用副操作体１８を１回押してワイド洗浄機能を設定すると、おしり又はビデ洗浄中にノズルが前後に動いて広い範囲が洗浄される。副操作体１８をもう１回押すと、このワイド洗浄機能が解除される。
【００１９】
蓋３の開閉を検知するために、蓋３にマグネット２０が設けられると共にリモコン本体２内にリードスイッチ２１が設けられている。
【００２０】
主操作体４〜８及び副操作体１４〜１８を操作したときに押されてスイッチング動作するスイッチ本体２４〜２８がそれぞれ副操作体１４〜１８の背後側に設置されている。第２図に示される通り、各スイッチ本体２４〜２８は、回路基板２９上に搭載されている。各スイッチ本体２４〜２８には、押されると後退する操作体３０が設けられている。各操作体３０は、リモコン本体２に設けられた開口３１に位置しており、各々の操作体３０が各副操作体１４〜１８の背面に近接して配置されている。副操作体１４〜１８は、開口３１を塞ぐ合成樹脂製メンブレンよりなり、押されると弾性的に後退する。
【００２１】
主操作体４〜８は、それぞれ、蓋３に設けられ、弾性的に後退可能な釦体４０と、該釦体４０の前方の蓋３前面に設けられた開口４１と、該開口４１を塞いでおり、弾性的に後退可能な合成樹脂製メンブレン４２と、釦体４０の背面側に付着された弾性変形可能な合成樹脂製メンブレン４３とを備えている。釦体４０は、蓋３の後面部をＣ字形のスリットを設けることにより前後方向移動可能としたものであり、Ｃ字形スリットを塞ぐようにメンブレン４３が付着されている。
【００２２】
リモコン本体２の上部には、便座を電動装置によって開閉させるための便座開閉スイッチ５０、便器本体を大洗浄するための大フラッシュスイッチ５１及び小洗浄するための小フラッシュスイッチ５２が設けられている。
【００２３】
リモコン本体２の前面の上部中央には、液晶パネル等よりなる表示画面５３が設けられている。図示は省略するが、この表示画面５３には時刻表示部、乾燥用温風の温度表示部、洗浄強さの表示部、ワイド洗浄入／切の表示部、リモコン１からの信号光が便器本体に向けて出力されていることを示すための表示部が設定されている。
【００２４】
第３図の通り、各スイッチ本体２４〜２８及びスイッチ５０〜５２が、信号処理回路を構成する中央処理装置（ＣＰＵ）６０の各入力端子とアース間に設置されている。電源（この実施の形態では乾電池）からの電源ラインとアース間に電界効果型トランジスタ（ＦＥＴ）６１、抵抗６２及びリードスイッチ２１が直列に配設されており、リードスイッチ２１と抵抗６２との接続点がＣＰＵ６０の入力端子に接続されている。ＦＥＴ６１のゲートがＣＰＵの出力端子に接続されている。ＣＰＵ６０の他の出力端子とアース間に信号光発光用のＬＥＤ６３が設けられている。
【００２５】
このＣＰＵ６０は、スイッチ本体２４〜２８のいずれかが押されることにより、当該スイッチ本体２４〜２８が接続された入力端子電圧レベルがＬとなったときに限り、短時間だけＦＥＴ６１をＯＮとし、このときのリードスイッチ２１とアース間の電圧レベルを読み込む。このとき、蓋３が閉じておりリードスイッチ２１がＯＮとなっている場合には、この電圧レベルはＬであり、蓋３が開いておりリードスイッチ２１がＯＦＦとなっているときには電圧レベルはＨとなっており、蓋３の開閉状態が検知される。これにより、主操作体４〜８が押されたのか副操作体１４〜１８が押されたのかが判定され、これに応じた信号光を発光するようにＬＥＤ６３への通電が行われる。便座開閉スイッチ５０、大フラッシュスイッチ５１、小フラッシュスイッチ５２が操作されたときには、それに応じてＬＥＤ６３への通電が行われて各々のコマンド信号光が発光する。
【００２６】
このように、この実施の形態によると、主操作体４〜８と副操作体１４〜１８のいずれかを操作した場合にのみ短時間だけリードスイッチ２１に通電されて蓋３の開閉状態が検知され、その他の場合にはリードスイッチ２１へは通電されない。このため、蓋３の開閉の検知のために消費される電力が極めて少なく、電池の消耗が抑制される。また、この実施の形態では、スイッチ本体２４〜２８の前方の開口３１は合成樹脂製メンブレンよりなる副操作体１４〜１８によって水密的に閉鎖されており、リモコン本体２内に水が入り込むことがなく、耐水性に優れる。
【００２７】
上記実施の形態は本発明の一例であり、本発明は図示以外の形態をもとりうる。例えば、スイッチは上記以外の機能のためのスイッチであってもよい。また、リモコンはトイレルーム以外の浴室などのリモコンであってもよい。
【００２８】
上記実施の形態ではリードスイッチ２１を用いているが、ホール素子などの他の磁気センサであってもよく、フォトスイッチ、誘電率変化型センサなどその他の非接触式スイッチを採用してもよい。
【図面の簡単な説明】
【００２９】
【図１】実施の形態に係るリモコンの斜視図であり、（ａ）図は蓋閉止状態、（ｂ）図は蓋開放状態を示している。
【図２】蓋開放時のリモコン下部の縦断面図である。
【図３】信号処理回路図である。
【符号の説明】
【００３０】
１  リモコン
２  リモコン本体
３  蓋
４〜８  主操作体
１４〜１８  副操作体
２４〜２８  スイッチ本体
【図１】
2005277557.tif 000003
【図２】
2005277557.tif 000004
【図３】
2005277557.tif 000005